(57)【要約】【課題】取付部の取付面における貫通孔の縁部の周囲に位置する凹部に誤って締結部材が挿入されることを抑制可能な電気接続箱を提供すること。【解決手段】電気接続箱１は、少なくとも１つの電子部品を収容する筐体１０と、筐体１０に設けられる取付部２０であって、締結部材３０を挿通させる貫通孔２１が形成され被取付対象に取り付けられる取付面２２を有し、締結部材３０により被取付対象に固定される取付部２０と、を備える。取付面２２における貫通孔２１の縁部の周囲には、複数の凹部２６が形成される。複数の凹部２６の少なくとも１つには、締結部材３０の凹部２６内への進入を防止するための進入防止部２７であって、進入防止部２７がなければ締結部材３０が凹部２６内へ進入可能となる進入防止部２７が設けられる。【選択図】図３
2020202665.tif 000002
【特許請求の範囲】
【請求項１】
少なくとも１つの電子部品を収容する筐体と、前記筐体に設けられる取付部であって、締結部材を挿通させる貫通孔が形成され被取付対象に取り付けられる取付面を有し、前記締結部材により前記被取付対象に固定される取付部と、を備えた電気接続箱において、
前記取付面における前記貫通孔の縁部の周囲には、複数の凹部が形成され、
前記複数の凹部の少なくとも１つには、前記締結部材の前記凹部内への進入を防止するための進入防止部であって、進入防止部がなければ前記締結部材が前記凹部内へ進入可能となる進入防止部が設けられた、
電気接続箱。
【請求項２】
請求項１に記載の電気接続箱において、
前記取付面には、前記貫通孔の縁部から前記貫通孔の径方向の外側に放射状に延びる複数の放射状リブが形成され、
隣接する前記放射状リブの間に、前記進入防止部が設けられた前記凹部が位置する、
電気接続箱。
【請求項３】
請求項２に記載の電気接続箱において、
隣接する前記放射状リブの間に位置する前記凹部に設けられた前記進入防止部は、前記凹部における前記径方向の外側の側壁から前記凹部の内部に向けて前記径方向の内側に延びる突起部である、
電気接続箱。
【発明の詳細な説明】
【技術分野】
【０００１】
本発明は、電気接続箱に関する。
【背景技術】
【０００２】
従来から、車両に搭載され、リレー等の電子部品を収容するリレーボックス等の電気接続箱が広く知られている（例えば、特許文献１を参照）。電気接続箱の筐体には、通常、電気接続箱を車両の一部に固定するためのブラケットが一体に設けられている。ブラケットには、スタッドボルト等の締結部材を挿通させる貫通孔が形成され且つ車両の一部に取り付けられる取付面が設けられており、ブラケットは、貫通孔に挿通された締結部材により車両の一部に固定されるようになっている。
【先行技術文献】
【特許文献】
【０００３】
【特許文献１】特開２００５−５１８８０号公報
【発明の概要】
【発明が解決しようとする課題】
【０００４】
一般に、電気接続箱の筐体及びブラケットは、樹脂成形体である。このため、樹脂成形時に発生し得るヒケを抑制するため、ブラケット（取付部）の取付面には、複数の凹部が設けられる場合が多い。このことに起因して、電気接続箱の車両への取り付け作業時、スタッドボルト等の締結部材が誤って、貫通孔の縁部の周囲に位置する凹部に挿入され、これにより、電気接続箱の車両への取り付けが困難になる場合が発生し得る。
【０００５】
本発明は、上述した事情に鑑みてなされたものであり、その目的は、取付部の取付面における貫通孔の縁部の周囲に位置する凹部に誤って締結部材が挿入されることを抑制可能な電気接続箱を提供することにある。
【課題を解決するための手段】
【０００６】
前述した目的を達成するために、本発明に係る電気接続箱は、下記［１］〜［３］を特徴としている。
［１］
少なくとも１つの電子部品を収容する筐体と、前記筐体に設けられる取付部であって、締結部材を挿通させる貫通孔が形成され被取付対象に取り付けられる取付面を有し、前記締結部材により前記被取付対象に固定される取付部と、を備えた電気接続箱において、
前記取付面における前記貫通孔の縁部の周囲には、複数の凹部が形成され、
前記複数の凹部の少なくとも１つには、前記締結部材の前記凹部内への進入を防止するための進入防止部であって、進入防止部がなければ前記締結部材が前記凹部内へ進入可能となる進入防止部が設けられた、
電気接続箱であること。
［２］
上記［１］に記載の電気接続箱において、
前記取付面には、前記貫通孔の縁部から前記貫通孔の径方向の外側に放射状に延びる複数の放射状リブが形成され、
隣接する前記放射状リブの間に、前記進入防止部が設けられた前記凹部が位置する、
電気接続箱であること。
［３］
上記［２］に記載の電気接続箱において、
隣接する前記放射状リブの間に位置する前記凹部に設けられた前記進入防止部は、前記凹部における前記径方向の外側の側壁から前記凹部の内部に向けて前記径方向の内側に延びる突起部である、
電気接続箱であること。
【０００７】
上記［１］の構成の電気接続箱によれば、取付部の取付面における貫通孔の縁部の周囲に位置する複数の凹部の少なくとも１つには、締結部材の凹部内への進入を防止するための進入防止部が設けられる。従って、進入防止部の存在により、締結部材が誤って貫通孔の縁部の周囲に位置する凹部に挿入されること抑制され得る。
【０００８】
上記［２］の構成の電気接続箱によれば、貫通孔の縁部から放射状に延びる複数の放射状リブのうち隣接する放射状リブの間に位置する凹部に進入防止部が設けられる。このため、貫通孔の縁部の周囲に位置する凹部に進入防止部を容易に設けることができる。
【０００９】
上記［３］の構成の電気接続箱によれば、隣接する放射状リブの間に位置する凹部では、凹部の径方向外側に位置する側壁における凹部の周方向の長さは、凹部の径方向内側に位置する側壁における凹部の周方向の長さより長くなる。このため、凹部における径方向外側の側壁から凹部の内部に向けて径方向内側に延びる突起部を設けることにより、凹部における径方向内側の側壁から凹部の内部に向けて径方向外側に延びる突起部を設ける態様と比べて、突起部を設けるスペースを確保し易くなる。この結果、進入防止部を、隣接する放射状リブの間に位置する凹部に、より一層容易に設けることができる。
【発明の効果】
【００１０】
このように、本発明によれば、取付部の取付面における貫通孔の縁部の周囲に位置する凹部に誤って締結部材が挿入されることを抑制可能な電気接続箱を提供できる。
【００１１】
以上、本発明について簡潔に説明した。更に、以下に説明される発明を実施するための形態を添付の図面を参照して通読することにより、本発明の詳細は更に明確化されるであろう。
【図面の簡単な説明】
【００１２】
【図１】図１は、本発明の実施形態に係る電気接続箱の斜視図である。
【図２】図２は、図１に示すブラケットの取付面を示す拡大図である。
【図３】図３は、スタッドボルトが誤って取付面の貫通孔の縁部の周囲に位置する凹部に挿入されることが、進入防止部によって抑制されること、を説明するための図である。
【発明を実施するための形態】
【００１３】
＜実施形態＞
以下、図面を参照しながら、図１に示す本発明の実施形態に係る電気接続箱１について説明する。電気接続箱１は、典型的には、車両に搭載され、リレー等の電子部品を収容するリレーボックスである。以下、説明の便宜上、図１における「上下方向」、「上」及び「下」を、それぞれ、「上下方向」、「上」及び「下」と定義する。電気接続箱１の車両搭載時において、「上下方向」は、車両の上下方向に対応している。
【００１４】
図１に示すように、樹脂製の電気接続箱１は、複数の電子部品（図示省略）を収容する筐体１０を備える。筐体１０は、本例では、複数の電子部品を収容する略矩形枠状のフレーム１１と、フレーム１１の上側開口を塞ぐようにフレーム１１の上方に組み付けられる上カバー１２と、フレーム１１の下側開口を塞ぐようにフレーム１１の下方に組み付けられる下カバー１３と、から構成される。電気接続箱１を構成する上記３つの部品は全て、樹脂成形体である。
【００１５】
筐体１０には、電気接続箱１を車両の一部（被取付対象）に固定するための複数のブラケット２０が、筐体１０の複数箇所からそれぞれ外側に延びるように、筐体１０に一体に設けられている。従って、ブラケット２０も、樹脂成形体である。
【００１６】
各ブラケット２０の先端部の下面は、車両の一部に取り付けられる取付面２２として機能する。本例では、図２に示すように、取付面２２は、円形状の平面である。円形状の取付面２２の中心位置には、取付面２２と直交する方向に延びる貫通孔２１が形成されている。この貫通孔２１に、車両の一部に固定されたスタッドボルト及びウエルドボルト等（以下、「締結部材３０」と呼ぶ）（図３参照）が取付面２２側から挿通され、締結部材３０に係合されるナット等を利用して各ブラケット２０を車両の一部に締結固定することで、電気接続箱１が車両の一部に固定される。
【００１７】
上述したように、ブラケット２０は、樹脂成形体である。このため、樹脂成形時に発生し得るヒケを抑制するため、ブラケット２０の取付面２２には、複数の凹部２６が設けられている。本例では、図２に示すように、取付面２２に、貫通孔２１の縁部に位置する円形の内側リブ２３と、ブラケット２０の先端部の円弧状部分と共通の円弧部分を有する円形の外側リブ２４と、内側リブ２３及び外側リブ２４の間において、貫通孔２１の径方向に放射状に延びる複数の放射状リブ２５と、が形成されている。この結果、取付面２２には、内側リブ２３、外側リブ２４、及び、隣接する放射状リブ２５により画成される凹部２６が、貫通孔２１の周方向の複数箇所に形成されている。
【００１８】
なお、本例では、ブラケット２０における取付面２２以外の下面（取付面２２よりもブラケット２０の根元側に位置する下面）にも、樹脂成形時に発生し得るヒケを抑制するため、図２に示すように、複数の凹部２８が形成されている。
【００１９】
取付面２２に設けられた全ての凹部２６には、凹部２６における径方向の外側の側壁から凹部２６の内部に向けて径方向の内側に延びる突起部２７が一体で設けられている。本例では、貫通孔２１の周方向の長さが比較的長い凹部２６には、２つの突起部２７が周方向に並ぶように設けられ、貫通孔２１の周方向の長さが比較的短い凹部２６には、１つの突起部２７が設けられている。
【００２０】
この突起部２７は、図３に示すように、締結部材３０の凹部２６内への進入を防止する機能を果たす。即ち、突起部２７がなければ締結部材３０が凹部２６内へ進入可能となるが、突起部２７が存在することに起因して、締結部材３０が突起部２７に干渉することで、締結部材３０が凹部２６内へ進入できなくなる。
【００２１】
具体的には、締結部材３０としては、図３に示すように、先端部が根元部より小径の段付き円柱状の足部（棒状部）を有するスタッドボルト及びウエルドボルト等、並びに、長手方向全域に亘って一定の径を有する円柱状の足部（棒状部）を有するスタッドボルト及びウエルドボルト等が想定される。このような締結部材３０の足部の先端が、突起部２７がなければ凹部２６内へ進入可能となるが、突起部２７が存在することに起因して突起部２７に干渉することで、凹部２６内へ進入できなくなる。このように、突起部２７の存在により、締結部材３０が誤って貫通孔２１の縁部の周囲に位置する凹部２６に挿入されること抑制され得る。
【００２２】
＜作用・効果＞
以上、本発明の実施形態に係る電気接続箱１によれば、ブラケット２０の取付面２２における貫通孔２１の縁部の周囲に位置する複数の凹部２６には、締結部材３０の凹部２６内への進入を防止するための突起部２７が設けられている。従って、突起部２７の存在により、締結部材３０が誤って貫通孔２１の縁部の周囲に位置する凹部２６に挿入されること抑制され得る。
【００２３】
更に、本発明の実施形態に係る電気接続箱１によれば、貫通孔２１の縁部から放射状に延びる複数の放射状リブ２５のうち隣接する放射状リブ２５の間に位置する凹部２６に突起部２７が設けられる。このため、貫通孔２１の縁部の周囲に位置する凹部２６に突起部２７を容易に設けることができる。
【００２４】
更に、本発明の実施形態に係る電気接続箱１によれば、隣接する放射状リブ２５の間に位置する凹部２６では、凹部２６の径方向外側に位置する側壁における凹部２６の周方向の長さは、凹部２６の径方向内側に位置する側壁における凹部２６の周方向の長さより長くなる。このため、凹部２６における径方向外側の側壁から凹部２６の内部に向けて径方向内側に延びる突起部２７を設けることにより、凹部２６における径方向内側の側壁から凹部２６の内部に向けて径方向外側に延びる突起部を設ける態様と比べて、突起部２７を設けるスペースを確保し易くなる。この結果、突起部２７を、隣接する放射状リブ２５の間に位置する凹部２６に、より一層容易に設けることができる。
【００２５】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２６】
上記実施形態では、本発明の「進入防止部」として、凹部２６における径方向外側の側壁から凹部２６の内部に向けて径方向内側に延びる突起部２７が設けられている。これに対し、本発明の「進入防止部」として、凹部２６における径方向内側の側壁から凹部２６の内部に向けて径方向外側に延びる突起部が設けられてもよい。更に、本発明の「進入防止部」として、凹部２６の底壁の中央部から凹部２６の側壁とは独立して凹部２６の内部に向けて突出する島状の突起部が設けられていてもよい。
【００２７】
更に、上記実施形態では、貫通孔２１の縁部の周囲に位置する全ての凹部２６に突起部２７が設けられている。これに対し、貫通孔２１の縁部の周囲に位置する複数の凹部２６のうち、電気接続箱１の車両への取り付け作業時において締結部材３０が特に誤って挿入され易い傾向にある１つ又は複数の凹部２６にのみ突起部２７が設けられていてもよい。
【００２８】
更に、上記実施形態では、本発明の「進入防止部」として設けられる突起部２７は、樹脂成形体であるブラケット２０の一部（即ち、樹脂成形体の一部）となっている。これに対し、本発明の「進入防止部」として、樹脂成形体であるブラケット２０の凹部２６に後付けされる部品が採用されてもよい。
【００２９】
ここで、上述した本発明に係る電気接続箱１の実施形態の特徴をそれぞれ以下［１］〜［３］に簡潔に纏めて列記する。
［１］
少なくとも１つの電子部品を収容する筐体（１０）と、前記筐体（１０）に設けられる取付部（２０）であって、締結部材（３０）を挿通させる貫通孔（２１）が形成され被取付対象に取り付けられる取付面（２２）を有し、前記締結部材（３０）により前記被取付対象に固定される取付部（２０）と、を備えた電気接続箱（１）において、
前記取付面（２２）における前記貫通孔（２１）の縁部の周囲には、複数の凹部（２６）が形成され、
前記複数の凹部（２６）の少なくとも１つには、前記締結部材（３０）の前記凹部（２６）内への進入を防止するための進入防止部（２７）であって、進入防止部（２７）がなければ前記締結部材（３０）が前記凹部（２６）内へ進入可能となる進入防止部（２７）が設けられた、
電気接続箱（１）。
［２］
上記［１］に記載の電気接続箱（１）において、
前記取付面（２２）には、前記貫通孔（２１）の縁部から前記貫通孔（２１）の径方向の外側に放射状に延びる複数の放射状リブ（２５）が形成され、
隣接する前記放射状リブ（２５）の間に、前記進入防止部（２７）が設けられた前記凹部（２６）が位置する、
電気接続箱（１）。
［３］
上記［２］に記載の電気接続箱（１）において、
隣接する前記放射状リブ（２５）の間に位置する前記凹部（２６）に設けられた前記進入防止部（２７）は、前記凹部（２６）における前記径方向の外側の側壁から前記凹部（２６）の内部に向けて前記径方向の内側に延びる突起部（２７）である、
電気接続箱（１）。
【符号の説明】
【００３０】
１      電気接続箱
１０    筐体
２０    ブラケット（取付部）
２１    貫通孔
２２    取付面
２５    放射状リブ
２６    凹部
２７    突起部（進入防止部）
【図１】
2020202665.tif 000003
【図２】
2020202665.tif 000004
【図３】
2020202665.tif 000005